(57)【要約】      （修正有）【課題】柔軟な電力の供給を実現する電力需給システムを提供する。【解決手段】ＤＣ電力供給装置３と、ＤＣ／ＡＣコンバータ５と、ＤＣ／ＤＣコンバータ４と、一方がＤＣ／ＡＣコンバータ５に接続され、他方がＡＣ電力を需給するＡＣ機器が接続されるＡＣ機器接続部ＪＡと、一方がＤＣ／ＤＣコンバータ４に接続され、他方がＤＣ電力を需給するＤＣ機器が接続されるＤＣ機器接続部ＪＤと、を有する複数の電力需給設備Ｅと、電力需給設備Ｅ内に配置された電力合成／分配装置２と、電力合成／分配装置２、ＤＣ／ＡＣコンバータ５およびＤＣ／ＤＣコンバータ４を制御す制御装置１と、を備える。電力系統と電力をやりとりする系統連系時には、制御装置１が、ＤＣ／ＡＣコンバータ５からマスターを少なくとも１台選出し、マスターのＤＣ／ＡＣコンバータ５を直流電圧制御し、残りのＤＣ／ＡＣコンバータ５およびＤＣ／ＤＣコンバータ４を有効電力制御する。【選択図】図１
2020068544.tif 000002
【特許請求の範囲】
【請求項１】
ＤＣ電力の供給を行う少なくとも１つ以上のＤＣ電力供給装置と、
電力合成／分配装置に接続される少なくとも１つ以上のＤＣ／ＡＣコンバータと、
前記電力合成／分配装置に接続される少なくとも１つ以上のＤＣ／ＤＣコンバータと、
一方が前記ＤＣ／ＡＣコンバータに接続され、他方がＡＣ電力を需給するＡＣ機器が接続されるＡＣ機器接続部と、
一方が前記ＤＣ／ＤＣコンバータに接続され、他方がＤＣ電力を需給するＤＣ機器が接続されるＤＣ機器接続部と、を有する複数の電力需給設備と、
前記電力需給設備内に配置され、前記ＤＣ電力供給装置から供給されるＤＣ電力の合成と分配を行う少なくとも１つ以上の前記電力合成／分配装置と、
前記電力合成／分配装置、前記ＤＣ／ＡＣコンバータおよび前記ＤＣ／ＤＣコンバータを制御することで、ＤＣ電力の合成と、それぞれの前記ＡＣ機器接続部および前記ＤＣ機器接続部への電力の供給および分配を行う制御装置と、を備え、
電力系統と電力をやりとりする系統連系時には、前記制御装置が、前記電力合成／分配装置ごとに、前記ＤＣ／ＡＣコンバータからマスターを少なくとも１台選出し、前記マスターのＤＣ／ＡＣコンバータを直流電圧制御し、残りの前記ＤＣ／ＡＣコンバータおよび前記ＤＣ／ＤＣコンバータを有効電力制御する、
ことを特徴とする電力需給システム。
【請求項２】
請求項１において、
前記制御装置は、前記系統連系時にマスターとして選出されたＤＣ／ＡＣコンバータの中から、さらにリーダーを選出し、前記ＡＣ機器接続部の交流電圧制御を行う、
ことを特徴とする電力需給システム。
【請求項３】
請求項１において、
電力系統と電力をやりとりしない自立運転時には、
前記制御装置が、前記ＤＣ電力供給装置からマスターを選出して、直流電圧制御によって前記電力合成／分配装置のＤＣバスのＤＣ電圧を安定化させ、残りの前記ＤＣ電力供給装置を有効電力制御する、
ことを特徴とする電力需給システム。
【請求項４】
請求項３において、
前記制御装置は、前記自立運転時にマスターとして選出されたＤＣ電力供給装置の中から、さらにリーダーを選出して、定電圧定周波数制御によって前記ＡＣ機器接続部の交流電圧を制御する、
ことを特徴とする電力需給システム。
【請求項５】
請求項１において、
前記制御装置は、
前記電力合成／分配装置に接続される電力需給設備の追加、削除または前記電力需給設備が有するＤＣ電力供給装置、ＤＣ／ＤＣコンバータ、ＤＣ／ＡＣコンバータの追加、削除に伴い、前記ＤＣ機器が停止する際に、
前記電力需給設備が、前記電力合成／分配装置のＤＣ電圧を制御するマスターの場合、または自立運転時の前記ＡＣ機器接続部の電圧を制御するマスターの場合には、他の前記電力需給設備から新たなマスターを選出する処理をする、
ことを特徴とする電力需給システム。
【請求項６】
請求項１において、
前記ＤＣ電力供給装置は、ＡＣ／ＤＣコンバータを備えた内燃機関発電装置であって、前記ＡＣ／ＤＣコンバータを介して前記電力合成／分配装置と接続され、
前記制御装置は、前記内燃機関発電装置の起動および停止制御と、前記ＡＣ／ＤＣコンバータの電力変換に関する制御を行う、
ことを特徴とする電力需給システム。
【請求項７】
請求項６において、
前記制御装置は、
前記ＤＣ機器から電力供給の要求があった場合、起動中の前記ＤＣ電力供給装置があって要求される電力を提供可能であれば供給し、起動中の前記ＤＣ電力供給装置が無い場合、または起動中の前記ＤＣ電力供給装置が他の前記ＤＣ機器に電力供給中である場合には、新たな前記ＤＣ機器への電力供給を一時停止する、
ことを特徴とする電力需給システム。
【請求項８】
請求項７において、
前記制御装置は、
前記ＤＣ機器への電力供給の一時停止中に、
停止中の前記ＤＣ電力供給装置がある場合には起動し、起動可能な前記ＤＣ電力供給装置が無い場合には、他の前記ＤＣ機器へ電力供給中の前記ＤＣ電力供給装置が、前記ＤＣ機器に電力供給可能となるまで、前記ＤＣ機器への電力供給は引き続き一時停止する、
ことを特徴とする電力需給システム。
【請求項９】
電力合成／分配装置に接続される少なくとも１つ以上のＤＣ／ＡＣコンバータと、
前記電力合成／分配装置に接続される少なくとも１つ以上の第１ＤＣ／ＤＣコンバータと、
一方が前記ＤＣ／ＡＣコンバータに接続され、他方がＡＣ電力を需給するＡＣ機器が接続されるＡＣ機器接続部と、
一方が前記第１ＤＣ／ＤＣコンバータに接続され、他方がＤＣ電力を需給するＤＣ機器が接続されるＤＣ機器接続部と、を有する複数の電力需給設備を備え、
前記電力需給設備内に配置され、ＤＣ電力供給装置から供給されるＤＣ電力の合成と分配を行う少なくとも１つ以上の前記電力合成／分配装置を備え、
一部の前記電力需給設備は、前記電力合成／分配装置に接続され、前記ＤＣ電力の供給を行う少なくとも１つ以上の前記ＤＣ電力供給装置、をさらに備え、
前記ＤＣ電力供給装置が接続されている電力合成／分配装置と、前記ＤＣ電力供給装置が接続されていない電力合成／分配装置との間を接続する第２ＤＣ／ＤＣコンバータと、
前記電力合成／分配装置、前記ＤＣ／ＡＣコンバータ、前記第１ＤＣ／ＤＣコンバータおよび前記第２ＤＣ／ＤＣコンバータを制御することで、ＤＣ電力の合成と、それぞれの前記ＡＣ機器接続部および前記ＤＣ機器接続部への電力の供給および分配を行う制御装置を備える、
ことを特徴とする電力需給システム。
【請求項１０】
請求項９において、
前記第２ＤＣ／ＤＣコンバータは、
直流電圧制御によって、前記ＤＣ電力供給装置が接続されていない電力合成／分配装置のＤＣバスのＤＣ電圧を安定化させる、
ことを特徴とする電力需給システム。
【請求項１１】
請求項１０において、
電力系統と電力をやりとりする系統連系時には、
前記制御装置が、ＤＣ電力供給装置が接続された前記電力合成／分配装置ごとに、前記ＤＣ／ＡＣコンバータからマスターを少なくとも１台選出し、前記マスターのＤＣ／ＡＣコンバータを直流電圧制御することによって前記電力合成／分配装置のＤＣバスのＤＣ電圧を安定化させる、
ことを特徴とする電力需給システム。
【請求項１２】
請求項１１において、
前記制御装置は、前記系統連系時にマスターとして選出されたＤＣ／ＡＣコンバータの中から、さらにリーダーを選出し、前記ＡＣ機器接続部の交流電圧制御を行う、
ことを特徴とする電力需給システム。
【請求項１３】
請求項１０において、
電力系統と電力をやりとりしない自立運転時には、
前記制御装置が、前記ＤＣ電力供給装置からマスターを選出して、直流電圧制御によって前記電力合成／分配装置のＤＣバスのＤＣ電圧を安定化させ、残りの前記ＤＣ電力供給装置を有効電力制御する、
ことを特徴とする電力需給システム。
【請求項１４】
請求項１３において、
前記制御装置は、前記自立運転時にマスターとして選出されたＤＣ電力供給装置の中から、さらにリーダーを選出して、定電圧定周波数制御によって前記ＡＣ機器接続部の交流電圧を制御する、
ことを特徴とする電力需給システム。
【発明の詳細な説明】
【技術分野】
【０００１】
本発明は、電力需給システムに関する。
【背景技術】
【０００２】
再生可能エネルギの電力安定供給を目的とした電力補償設備、非常時の自家発電設備などを用途として内燃機関による発電装置（以下、内燃機関発電装置）の設置が拡大している。さらに、管理された地域への電力供給を目的として、内燃機関発電装置等の交流(ＡＣ)電力供給装置だけではなく直流（ＤＣ）電力供給装置のニーズはますます高まるものと予想される。
そのため、様々なＤＣ電力供給装置、発電設備の運転制御方法、およびそれらに関連する電力需給システムが用いられている。
【０００３】
例えば、特許文献１の［要約］には、「［課題］電力を安定的に供給可能な発電設備の運転制御方法を提供する。［解決手段］複数の発電手段の運転状態と相関がある指標値に基づいて複数の発電手段の各々について優先順位を設定する優先順位設定ステップと、発電設備の総発電量目標値に基づいて発電手段の運転台数を決定する運転台数決定ステップと、複数の発電手段のうち、優先順位に基づいて運転台数分だけ稼働させるように、必要に応じて発電手段の起動又は停止を行う発電手段運転ステップと、所定期間の発電計画パターンから算出される、発電設備における所定期間内での目標発電量及び予定変化量がそれぞれ閾値Ｐｔｇｔ＿ｔｈ以上及び閾値Ｃｔｈ以下である時刻を、前回の優先順位に替えて、新たな優先順位を優先順位設定ステップにより設定する優先順位入替時刻として決定する入替時刻決定ステップと、を備える。」と記載され、発電設備の運転制御方法が開示されている。
【先行技術文献】
【特許文献】
【０００４】
【特許文献１】特開２０１６−８２７４０号公報
【発明の概要】
【発明が解決しようとする課題】
【０００５】
しかしながら、これまでのＤＣ電力供給装置は、単一の用途のために設置されるものであった。そのため、ある用途のために設置したＤＣ電力供給装置を他の用途に使用するときは、その用途に応じた電圧レベルに拡張するために、機器との接続、系統との接続などを見直す必要があるという課題（問題）がある。
特に、大出力を確保するために、複数のＤＣ電力供給装置を並列接続する構成で、用途変更しようとすると、さらに煩雑な作業が必要となってしまう。
【０００６】
例えば、特許文献１に記載の技術では、ガスエンジン発電設備および／またはディーゼル発電設備のみを電力供給に使用することを目的として構成されている。そのため、特許文献１に記載の技術は、ある用途のために設置したら、その用途のみに継続して使用するだけのシステムとなり、柔軟な電力の供給を実現することが困難である。
【０００７】
本発明は、前記した課題に鑑みて創案されたものであって、柔軟な電力の供給を実現する電力需給システムを提供することを課題とする。
【課題を解決するための手段】
【０００８】
前記課題を解決するために、本発明を以下のように構成した。
すなわち、本発明の電力需給システムは、ＤＣ電力の供給を行う少なくとも１つ以上のＤＣ電力供給装置と、電力合成／分配装置に接続される少なくとも１つ以上のＤＣ／ＡＣコンバータと、前記電力合成／分配装置に接続される少なくとも１つ以上のＤＣ／ＤＣコンバータと、一方が前記ＤＣ／ＡＣコンバータに接続され、他方がＡＣ電力を需給するＡＣ機器が接続されるＡＣ機器接続部と、一方が前記ＤＣ／ＤＣコンバータに接続され、他方がＤＣ電力を需給するＤＣ機器が接続されるＤＣ機器接続部と、を有する複数の電力需給設備と、前記電力需給設備内に配置され、前記ＤＣ電力供給装置から供給されるＤＣ電力の合成と分配を行う少なくとも１つ以上の前記電力合成／分配装置と、前記電力合成／分配装置、前記ＤＣ／ＡＣコンバータおよび前記ＤＣ／ＤＣコンバータを制御することで、ＤＣ電力の合成と、それぞれの前記ＡＣ機器接続部および前記ＤＣ機器接続部への電力の供給および分配を行う制御装置と、を備え、電力系統と電力をやりとりする系統連系時には、前記制御装置が、前記電力合成／分配装置ごとに、前記ＤＣ／ＡＣコンバータからマスターを少なくとも１台選出し、前記マスターのＤＣ／ＡＣコンバータを直流電圧制御し、残りの前記ＤＣ／ＡＣコンバータおよび前記ＤＣ／ＤＣコンバータを有効電力制御することを特徴とする。
【０００９】
また、その他の手段は、発明を実施するための形態のなかで説明する。
【発明の効果】
【００１０】
本発明によれば、異なる電圧レベルに拡張できるので、柔軟な電力の供給を実現することができる。
【図面の簡単な説明】
【００１１】
【図１】本発明の第１実施形態に係る電力需給システムの第１の構成例を示す図であり、また電力需給システムと電力系統側および需要家側の各負荷との接続関連の一例を示す図である。
【図２】本発明の第１実施形態に係る制御装置の詳細な構成例を示す図である。
【図３】本発明の第１実施形態に係る電力需給システムの制御装置による第１の制御パターン例の一覧を示す図である。
【図４】本発明の第１実施形態に係る電力需給システムの構成例と、系統連系時における制御パターン例を示す図である。
【図５】本発明の第１実施形態に係る電力需給システムの構成例と、自立運転時における制御パターン例を示す図である。
【図６】本発明の第２実施形態に係る電力需給システムの第２の構成例を示す図であり、また電力需給システムと電力系統側および需要家側の各負荷との接続関連の一例を示す図である。
【図７】本発明の第２実施形態に係る電力需給システムの構成例と、系統連系時における制御パターン例を示す図である。
【図８】本発明の第２実施形態に係る電力需給システムの構成例と、自立運転時における制御パターン例を示す図である。
【図９】本発明の変形例に係る電力需給システムの構成例と、系統連系時における制御パターン例を示す図である。
【図１０】本発明の変形例に係る電力需給システムにおいて、系統連系時にリーダー選出、制御する動作例を示すフローチャートである。
【図１１】本発明の変形例に係る電力需給システムにおいて、自立運転時にリーダーを選出、制御する動作例を示すフローチャートである。
【発明を実施するための形態】
【００１２】
以下、本発明を実施するための形態（以下においては「実施形態」と表記する）を、適宜、図面を参照して説明する。なお、各図において、参照番号が同一のものは同一の構成要件あるいは類似の機能を備えた構成要件を示している。
【００１３】
［第１実施形態：電力需給システム］
図１は、本発明の第１実施形態に係る電力需給システムの第１の構成例を示す図であり、また電力需給システムと電力系統（商用電力系統）側および需要家側の各負荷との接続関連の一例を示す図である。
図１において、電力系統（Ｌ）側と、需要家側の需要家負荷Ｄおよび電力需給システムＺとの間には、開閉器（スイッチ）ＳＷ１，ＳＷ２，ＳＷ３が備えられている。
開閉器ＳＷ１，ＳＷ２，ＳＷ３がすべて閉（オン：ＯＮ）の場合には、電力系統（Ｌ）側から需要家側に電力が供給される。この場合を「系統連系時」と表記する。なお、系統連系時においても、電力需給システムＺにおける電力需給設備Ｅ（Ｅ１〜Ｅｎ）に備えられたＤＣ電力供給装置３は、一般的には稼働している。
また、開閉器ＳＷ３が開（オフ：ＯＦＦ）の場合には、電力系統（Ｌ）側から需要家側に電力が供給されることはない。このときには、電力需給システムＺが生成する電力によって、需要家負荷（車両Ｖの蓄電装置Ｆを含む）に電力を供給する。この場合を「自立運転時」と表記する。
【００１４】
＜電力需給システムＺの構成＞
図１において、電力需給システムＺは、制御装置１と、電力合成／分配装置２と、ｎ（ｎは正の整数）台の電力需給設備Ｅ（Ｅ１〜Ｅｎ）とを備えている。なお、台数ｎは１台でもよい。
また、電力需給システムＺにおけるそれぞれの電力需給設備Ｅ１〜Ｅｎは、電気自動車や、プラグインハイブリッド車等の外部からの電力を蓄電可能な蓄電装置Ｆを搭載した車両Ｖに接続されている。
【００１５】
《制御装置１》
制御装置１は、後記する電力需給設備Ｅ（Ｅ１〜Ｅｎ）を制御する。
ここで、電力系統Ｌの電力（系統電力）が変動したり、需要家負荷Ｄの消費電力（必要電力）が変動したりすることが予想されることがある。このような場合には、前記の変動の予想値が制御装置１の入力装置１１４を介して、制御装置１に入力される。制御装置１の処理部１００は、予想値を基に、電力系統Ｌや、需要家負荷Ｄに供給する電力を再演算する。
なお、制御装置１の詳細については、後記する。
【００１６】
《電力合成／分配装置２》
電力合成／分配装置２は、後記する各ＤＣ電力供給装置３から供給されるＤＣ電力を合成する。そして、電力合成／分配装置２は、それぞれのＤＣ／ＤＣコンバータ接続部Ｊ２１を介してＤＣ／ＤＣコンバータ４や、それぞれのＤＣ／ＡＣコンバータ接続部Ｊ１１を介してＤＣ／ＡＣコンバータ５へ、合成したＤＣ電力を配分する。なお、各電力合成／分配装置２は、図示しないＤＣ電力ラインを有している。
【００１７】
《電力需給設備Ｅ１〜Ｅｎ》
電力需給設備Ｅ１〜Ｅｎには、それぞれ電力合成／分配装置２が配置されている。また、それぞれの電力需給設備Ｅ１〜Ｅｎは、ＤＣ電力供給装置３、ＤＣ／ＤＣコンバータ４、ＤＣ／ＡＣコンバータ５、ＤＣ機器接続部ＪＤ、ＡＣ機器接続部ＪＡを有している。これらは各電力需給設備Ｅ（Ｅ１〜Ｅｎ）に対して１つの場合もあれば、複数あってもよい。
【００１８】
また、各電力需給設備Ｅ（Ｅ１〜Ｅｎ）には、ＤＣ電力供給装置接続部Ｊ４１、ＤＣ／ＡＣコンバータ接続部Ｊ１１，Ｊ１２、ＤＣ／ＤＣコンバータ接続部Ｊ２１，Ｊ２２、ＡＣ接続部Ｊ３１が備えられている。
これらの接続部（Ｊ４１，Ｊ１１，Ｊ１２，Ｊ２１，Ｊ２２，Ｊ３１）は、コネクタとしての機能を有している。例えば、ＤＣ／ＡＣコンバータ接続部Ｊ１１，Ｊ１２は、ＤＣ／ＡＣコンバータ５を交換する際に、取り外すことを可能とするためのコネクタ（接続部）である。同様に、接続部（Ｊ４１，Ｊ２１，Ｊ２２，Ｊ３１）も関連する機器を交換する際にコネクタとして用いる。
また、ＤＣ機器接続部ＪＤとＡＣ機器接続部ＪＡは、開閉器（スイッチ）としての機能を有している。
【００１９】
ＤＣ電力供給装置３は、ＤＣ電力を発生可能な発電装置である。例えば、内燃機関発電装置である場合には、内燃機関、ジェネレータ装置、ＡＣ／ＤＣコンバータ等を備える。すなわち、内燃機関で熱エネルギを発生し、ジェネレータ装置で熱エネルギを交流電力（ＡＣ電力）に変換し、ＡＣ／ＤＣコンバータでＡＣ電力をＤＣ電力（直流電力）に変換して出力する。
ＤＣ電力供給装置３としての内燃機関発電装置は、例えば、ディーゼルエンジン発電装置、ガスタービンエンジン発電装置等である。
なお、ＤＣ電力供給装置３（内燃機関発電装置等）は、ＤＣ電力供給装置接続部Ｊ４１によって電力合成／分配装置２に接続している。
【００２０】
ＤＣ／ＤＣコンバータ４は、一方をＤＣ／ＤＣコンバータ接続部Ｊ２１を介して電力合成／分配装置２に接続され、他方をＤＣ／ＤＣコンバータ接続部Ｊ２２とＤＣ機器接続部ＪＤとを介して車両Ｖ（電気自動車等）に搭載された蓄電装置Ｆに接続されている。
ＤＣ／ＤＣコンバータ４は、電力合成／分配装置２から配分された電力の電圧を、車両Ｖ（蓄電装置Ｆ）の充電電圧等に変換する。
蓄電装置Ｆへの充電方法が定電流定電圧充電であれば、ＤＣ／ＤＣコンバータ４は所定の充電電圧になるまでは定電流となるよう電力を変換する。
なお、ＤＣ／ＤＣコンバータ４の電流は、電力合成／分配装置２において、蓄電装置Ｆの定格値を超えないように予め制御されている。そして、充電電圧が所定の電圧になると、ＤＣ／ＤＣコンバータ４は、充電電圧が定電圧となるように電力を変換する。
【００２１】
ＤＣ／ＡＣコンバータ５は、一方をＤＣ／ＡＣコンバータ接続部Ｊ１１を介して電力合成／分配装置２に接続されている。また、ＤＣ／ＡＣコンバータ５は、交流側（他方）がＤＣ／ＡＣコンバータ接続部Ｊ１２とＡＣ機器接続部ＪＡと、ＡＣ接続部Ｊ３１とを介して電力系統Ｌへ接続されている。
ＤＣ／ＡＣコンバータ５は、電力合成／分配装置２から送られた直流電力を、需要家負荷Ｄや電力系統Ｌへの交流電力（例えば、１００Ｖ、５０Ｈｚ）に変換する。
この際、電力需給設備Ｅ（Ｅ１〜Ｅｎ）のそれぞれのＤＣ／ＡＣコンバータ５は、生成する交流電圧の位相が揃うよう交流電力を生成することが望ましい。生成する交流電圧の位相は、制御装置１からの制御情報に基づいて行われる。
例えば、ＤＣ／ＡＣコンバータ５が、ＰＷＭ制御（Pulse Width Modulation：パルス幅制御）によるインバータ（直流交流変換）回路を有する場合、制御情報は、図示しないスイッチング素子（例えばＩＧＢＴ（Insulated Gate Bipolar Transistor））をオンとするパルスのデューティーである。
【００２２】
なお、前記したように、ＤＣ機器接続部ＪＤには、車両Ｖ（蓄電装置Ｆ）が接続されている。ただし、車両Ｖ（蓄電装置Ｆ）の代わりに、直流電力を需要とする他のＤＣ機器が接続されてもよい。
また、ＡＣ機器接続部ＪＡには、開閉器ＳＷ１、ＳＷ２を介して、需要家負荷Ｄが接続されている。さらに、開閉器ＳＷ１と開閉器ＳＷ３とを介して、電力系統Ｌが接続されている。
【００２３】
なお、蓄電装置Ｆや、需要家負荷Ｄ、電力系統ＬのようにＤＣ／ＤＣコンバータ４や、ＤＣ／ＡＣコンバータ５に接続されているものを単に「機器」と、適宜、称する。
また、前記の「機器」のおける蓄電装置ＦのようにＤＣ電力を需給して、ＤＣ／ＤＣコンバータ４に接続されるものを「ＤＣ機器」と、適宜、称する。
また、前記の「機器」のおける需要家負荷Ｄや電力系統ＬのようにＡＣ電力を需給して、ＤＣ／ＡＣコンバータ５に接続されるものを「ＡＣ機器」と、適宜、称する。
【００２４】
また、それぞれの電力需給設備Ｅ１〜Ｅｎは、ＡＣ機器接続部ＪＡからＡＣ電力のみを供給するＡＣ供給モード、ＤＣ機器接続部ＪＤからＤＣ電力のみを供給するＤＣ供給モードがあり、それぞれを選択可能である。
さらに、それぞれの電力需給設備Ｅ１〜Ｅｎは、ＡＣ機器接続部ＪＡからＡＣ電力を供給するとともに、ＤＣ機器接続部ＪＤからＤＣ電力を供給することもできる。すなわち、ＡＣ供給モードとＤＣ供給モードの選択すること、および組み合わせて供給することも可能である。
このようにＡＣ供給モードとＤＣ供給モードとを選択して動作することで、必要のない機器への電力供給を防止することができる。
【００２５】
なお、電力需給設備Ｅ、あるいは電力需給設備Ｅが有するＤＣ電力供給装置３、ＤＣ／ＤＣコンバータ４、ＤＣ／ＡＣコンバータ５の新規追加、入替、削除は状況に応じて可能である。したがって、既存設備の電源容量を柔軟に拡張、変更できる。
【００２６】
《制御装置１の概略の構成》
図１において、制御装置１は、処理部１００と、入力装置１１４と、通信装置１１６とを備える。
後記するように、電力系統Ｌにおける系統電力変動の情報や、需要家側の負荷電力変動の情報を含む電力関連情報が制御装置１の入力装置１１４に送られる。入力装置１１４は、それらの情報を処理部１００に入力する。
処理部１００は、入力装置１１４に入力された前記の系統電力変動や負荷電力変動の情報に基づいて、電力需給設備Ｅ１〜Ｅｎを制御する信号を生成し、通信装置１１６に生成された信号を送る。
通信装置１１６は、処理部１００から送られた信号に基づき、電力需給設備Ｅ１〜Ｅｎの各構成要素を制御する信号を出力する。
【００２７】
なお、入力装置１１４に入力する電力関連情報には、前記した電力系統Ｌにおける系統電力変動の情報や、需要家側の負荷電力変動の情報以外にも、需要家負荷Ｄや車両Ｖの蓄電装置Ｆの台数や電圧などの接続機器情報や、後記する機器制御指令やマスター選出情報などが含まれている。
【００２８】
《制御装置１の詳細な構成と機能・動作》
図２は、本発明の第１実施形態に係る制御装置１の詳細な構成例を示す図である。なお、制御装置１は、ＰＣ（Personal Computer）や、ＰＬＣ（Programmable Logic Controller）等を備えて構成される。
図２において、制御装置１は、主記憶装置（記憶装置）１１１、ＣＰＵ（Central Processing Unit）１１２、ＨＤ（Hard Disk）等の補助記憶装置（記憶装置）１１３を備える。さらに、制御装置１は、キーボード等の入力装置１１４、ディスプレイ等の表示装置１１５、ＮＩＣ（Network Interface Card）等の通信装置１１６を備える。
【００２９】
主記憶装置１１１は、処理部１００を備えて構成されている。また、処理部１００は、マスター選出処理部１０１とスケジュール処理部１０２とを有している。
主記憶装置１１１には、補助記憶装置１１３に格納されているプログラムがロードされている。
そして、ロードされたプログラムがＣＰＵ１１２によって実行されることで、処理部１００、および処理部１００に含まれるマスター選出処理部１０１、スケジュール処理部１０２の機能が具現化される。
マスター選出処理部１０１のマスター選出処理、およびスケジュール処理部１０２の機器更新に関するスケジュール情報処理については、順次、後記する。
【００３０】
補助記憶装置１１３には、登録情報１３１が格納されている。
登録情報１３１には、電力合成／分配装置２（図１）に接続可能なＤＣ電力供給装置３（例えば内燃機関発電装置、蓄電装置Ｆ：図１）や機器（ＤＣ機器、ＡＣ機器等）の情報が、ＤＣ電力供給装置３や機器（ＤＣ機器、ＡＣ機器等）の識別情報と対応付けられて、予め格納されている。
具体的には、前記したＤＣ電力供給装置３や機器（ＤＣ機器、ＡＣ機器等）のそれぞれの定格出力等である。
また、機器が定電流定電圧充電式の蓄電装置Ｆである場合、登録情報１３１には、定電流値、定電圧値、定電圧充電に切り替える充電電圧値、定電圧充電を終了する電流値等が蓄電装置Ｆの識別情報と対応付けて格納されている。
このような登録情報１３１を有することで、制御装置１は、電力需給システムＺを集中制御することができて、制御の管理が容易となる。
【００３１】
＜マスター選出処理に関する制御＞
次に、ＤＣ電力供給装置３、ＤＣ／ＡＣコンバータ５などのＤＣ機器のマスター選出処理に関する制御について説明する。
【００３２】
本発明の第１実施形態では、複数の電力需給設備Ｅ１〜Ｅｎがあり、ＤＣ／ＡＣコンバータ５はＡＣ機器接続部ＪＡを介して電力系統と接続されている。
また、ＤＣ電力供給装置３は、ＤＣ電力供給装置接続部Ｊ４１を介して電力合成／分配装置２に接続している。
以上の構成を基に、マスター選出処理に関する制御を説明する。
【００３３】
図３は、本発明の第１実施形態に係る電力需給システムＺの制御装置１による制御パターン例の一覧を示す図である。制御パターン（制御方法）は、電力需給設備Ｅがマスターかスレーブかによって異なる。また、制御パターンは、系統連系（系統連系時）か自立運転（自立運転時）かによって異なる。また、制御パターンは、ＤＣ／ＡＣコンバータ５かＤＣ電力供給装置３かによって異なる。
図３において、制御パターンの上段には、電力需給設備Ｅが「マスター」か、「スレーブ」か、記載されている。「制御対象」と記載した縦の欄には、制御対象となる「ＤＣ／ＡＣコンバータ」、「ＤＣ電力供給装置」、「ＤＣ／ＤＣコンバータ」が記載されている。
制御対象の右側の欄には、複数の制御方法に対する制御対象の台数が記載されている。
さらに、台数の右側の二つの欄には、「系統連系」と「自立運転」におけるそれぞれの制御方法が記載されている。
【００３４】
図３の制御パターンにおいて、各電力需給設備Ｅ（Ｅ１〜Ｅｎ）に対して、電力需給設備Ｅ１がマスターに１台選出される。そして他（他の台数）の電力需給設備Ｅ２〜Ｅｎは、スレーブとなる。
【００３５】
さらに、各電力需給設備Ｅ（Ｅ１〜Ｅｎ）に対して、「ＤＣ／ＡＣコンバータ」と「ＤＣ電力供給装置」のマスターがそれぞれ１台ずつ選出される。そして他（他の台数）の「ＤＣ／ＡＣコンバータ」と「ＤＣ電力供給装置」は、スレーブとなる。
【００３６】
まず、図３において、マスターに選出された電力需給設備Ｅ１の「系統連系」ついて説明する。
マスターであるＤＣ／ＡＣコンバータは、直流側が「ＤＣ−ＡＶＲ（DC-Automatic Voltage Regulator）：直流電圧制御」で制御される。また、マスターであるＤＣ／ＡＣコンバータは、交流側が「ＡＣ−ＡＶＲ（AC-Automatic Voltage Regulator）：交流電圧制御」で制御される。
また、他（他の台数）のＤＣ／ＡＣコンバータは、スレーブであって、すべて「ＡＰＲ（Automatic Active Power Regulator）：有効電力制御」で制御される。
また、マスターであるＤＣ電力供給装置は、「ＡＰＲ」で制御される。また、他のＤＣ電力供給装置も、「ＡＰＲ」で制御される。
ＤＣ／ＤＣコンバータは、全台すべてが、「ＡＰＲ」で制御される。
【００３７】
次に、図３において、スレーブとなる他の電力需給設備Ｅ２〜Ｅｎの「系統連系」について説明する。
マスターであるＤＣ／ＡＣコンバータは、「ＤＣ−ＡＶＲ」で制御される。
他の点、マスターに選出された電力需給設備Ｅ１の「系統連系」と同様のため、説明を省略する。
【００３８】
次に、図３において、マスターに選出された電力需給設備Ｅ１の「自立運転」について説明する。
マスターであるＤＣ／ＡＣコンバータは、「ＣＶＣＦ（Constant Voltage Constant Frequency）：定電圧定周波数制御」で制御される。
また、他（他の台数）のＤＣ／ＡＣコンバータは、スレーブであって、すべて「ＡＰＲ」で制御される。
また、マスターであるＤＣ電力供給装置は、「ＤＣ−ＡＶＲ」で制御される。また、他のＤＣ電力供給装置は、「ＡＰＲ」で制御される。
ＤＣ／ＤＣコンバータは、全台すべてが、「ＡＰＲ」で制御される。
【００３９】
次に、図３において、スレーブとなる他の電力需給設備Ｅ２〜Ｅｎの「自立運転」について説明する。
マスターであるＤＣ／ＡＣコンバータは、「ＡＰＲ」で制御される。
他の点、マスターに選出された電力需給設備Ｅ１の「自立運転」と同様のため、説明を省略する。
【００４０】
なお、このＤＣ／ＤＣコンバータ４の動作については、前記したが、ＤＣ／ＤＣコンバータ４における「ＡＰＲ」の実体について説明するために以下に再記する。
すなわち、ＤＣ／ＤＣコンバータ４は、配分された電力の電圧を、接続されている車両Ｖ（蓄電装置Ｆ）の充電電圧に変換する。蓄電装置Ｆへの充電方法が定電流定電圧充電である場合には、ＤＣ／ＤＣコンバータ４は、所定の充電電圧になるまでは定電流となるように電力を変換する。なお、電力合成／分配装置２において、電流は蓄電装置Ｆの定格値を超えないように予め制御されている。そして、充電電圧が所定の電圧になると、ＤＣ／ＤＣコンバータ４は、充電電圧が定電圧となるように電力を変換する。
以上の動作による制御が、ＤＣ／ＤＣコンバータ４における「ＡＰＲ」である。
【００４１】
なお、「ＡＰＲ」は、前記したように、有効電力制御の意味であるが、ＤＣ／ＤＣコンバータ４やＤＣ／ＡＣコンバータ５やＤＣ電力供給装置３における「ＡＰＲ」の実際の動作は様々である。
【００４２】
以上の制御パターンがあるが、次に系統連系時における制御パターン例（図４）と、自立運転時におる制御パターン例（図５）について順に説明する。
【００４３】
《系統連系時》
図４は、本発明の第１実施形態に係る電力需給システムＺの構成例と、系統連系時における制御パターン例を示す図である。なお、本来はｎ台（ｎは正の整数）の電力需給設備Ｅ１〜Ｅｎを対象としているが、図４においては、便宜上、電力需給設備Ｅが２台の場合の例について図示している。
図４において、２台の電力需給設備Ｅが配置されている。電力需給設備Ｅ１にはＤＣ電力供給装置３が２台、電力需給設備Ｅ２にはＤＣ電力供給装置３が１台配置されている。
また、各電力需給設備Ｅ（Ｅ１〜Ｅｎ）には、１台の電力合成／分配装置２が配置され、ＤＣ電力供給装置３と接続されている。
また、電力需給設備Ｅ１には、１台のＤＣ／ＡＣコンバータ５と２台のＤＣ／ＤＣコンバータ４が配置され、電力合成／分配装置２にそれぞれ接続されている。電力需給設備Ｅ２には、ＤＣ／ＡＣコンバータ５とＤＣ／ＤＣコンバータ４が１台ずつ配置され、電力合成／分配装置２にそれぞれ接続されている。
また、各電力需給設備Ｅ（Ｅ１〜Ｅｎ）に備えられたＤＣ／ＡＣコンバータ５は、需要家負荷Ｄと電力系統Ｌに接続されている。また、ＤＣ／ＤＣコンバータ４は、それぞれ車両Ｖの蓄電装置Ｆに接続されている。
【００４４】
図４においては、ＤＣ／ＡＣコンバータ５はマスター１台のみで、スレーブのＤＣ／ＡＣコンバータ（５，Ｓ）が無い例を説明している。
なお、図４において、符号（＃，Ｍ）は、マスター（Ｍ）で動作、制御されることを意味する。
【００４５】
図４における各機器は、次に示すような制御のもとに動作する。
各電力需給設備Ｅ（Ｅ１〜Ｅｎ）において、ＤＣ電力供給装置３は、それぞれ有効電力制御（ＡＰＲ）で動作する。
各電力需給設備Ｅ（Ｅ１〜Ｅｎ）において、ＤＣ／ＤＣコンバータ４は、それぞれ有効電力制御（ＡＰＲ）で動作する。
マスターに選出された電力需給設備（Ｅ１，Ｍ）においては、マスターのＤＣ／ＡＣコンバータ（５，Ｍ）は、直流側が直流電圧制御（ＤＣ−ＡＶＲ）で動作し、交流側が交流電圧制御（ＡＣ−ＡＶＲ）で動作する。
スレーブとなる電力需給設備（Ｅ２，Ｓ）においては、マスターのＤＣ／ＡＣコンバータ（５，Ｍ）は、直流電圧制御（ＤＣ−ＡＶＲ）で動作する。
【００４６】
《系統連系時の電力需給設備（ＤＣ／ＡＣコンバータ）のマスター選出》
系統連系に対してＡＣ電力を需給する場合は、制御装置１は、各電力需給設備Ｅ（Ｅ１〜Ｅｎ）において、ＤＣ／ＡＣコンバータ５の中から、少なくとも１台以上をマスターに選出する。
図４では、電力需給設備Ｅ１およびＥ２において、それぞれ１台のＤＣ／ＡＣコンバータ５から符号Ｍを付記したＤＣ／ＡＣコンバータ５（５，Ｍ）をマスターに選出している。
【００４７】
制御装置１は、マスターに選出されたＤＣ／ＡＣコンバータ（５，Ｍ）に出力電圧目標値を送信し、スレーブとなったＤＣ／ＡＣコンバータ（５，Ｓ）に出力電力（あるいは出力電流）目標値を送信する。
【００４８】
マスターに選出されたＤＣ／ＡＣコンバータ（５，Ｍ）は、制御装置１から受信した出力電力目標値に従って、電力合成／分配装置２の直流側のＤＣ電圧を直流電圧制御（ＤＣ−ＡＶＲ）によって安定化させる。
すなわち、電力合成／分配装置２の直流側の共通幹線（直流母線、ＤＣバス）におけるＤＣバス電圧が安定化するように、マスターに選出されたＤＣ／ＡＣコンバータ（５，Ｍ）が制御装置１の指令のもとに動作する。
【００４９】
また、制御装置１は、電力需給設備Ｅ１〜Ｅｎの中から少なくとも１台以上をマスター（Ｅ，Ｍ）に選出する。残りの電力需給設備Ｅはスレーブ（Ｅ，Ｓ）となる。
【００５０】
マスターに選出された電力需給設備（Ｅ１，Ｍ）の、ＤＣ／ＡＣコンバータ５のマスター（５，Ｍ）は、電力合成／分配装置２の交流側（系統側）の交流電圧制御（ＡＣ−ＡＶＲ）を行う。これによって、需要家負荷Ｄ側の交流電圧を安定化させる。
なお、電力系統Ｌと需要家（電力需給設備を含む）側の接続点である系統連系点（あるいはＡＣ接続部Ｊ３１、ＡＣ機器接続部ＪＡ）を介して、電力系統Ｌから交流電力が電力需給設備Ｅ１〜Ｅｎに供給されているが、前記マスターのＤＣ／ＡＣコンバータ（５，Ｍ）は、系統連系点の交流電圧（実効値）を調整するように動作する。
この系統連系点の交流電圧（実効値）を調整するにあたっては、無効電力制御が行われることがある。すなわち、系統連系点の交流電圧を安定化するために、無効電力制御を交流電圧制御（ＡＣ−ＡＶＲ）の一環として行うことがある。また、系統連系点における力率制御のために無効電力制御が行われることがある。
以上のように系統連系時において、系統連系点では、電力系統（Ｌ）側からの電力供給のみならず、電力需給設備ＥのＤＣ／ＡＣコンバータ５側からの電力（有効電力および無効電力）が供給される。その意味において系統連系時には、電力系統Ｌと電力需給システムＺは、電力をやりとりする。
【００５１】
以上のように、マスターに選出された電力需給設備（Ｅ１，Ｍ）においては、ＤＣ／ＡＣコンバータ５のマスター（５，Ｍ）は、電力合成／分配装置２の直流側のＤＣ電圧をＤＣ−ＡＶＲで安定させる動作と、電力合成／分配装置２の交流側（電力系統（Ｌ）側）のＡＣ電圧をＡＣ−ＡＶＲで安定させる動作とを、併せて行う。
【００５２】
このように制御装置１は、各電力需給設備Ｅ（Ｅ１〜Ｅｎ）において、ＤＣ／ＡＣコンバータ５から少なくとも１つ以上のマスターを選出し、電力合成／分配装置２のＤＣ電圧（ＤＣバス電圧）を制御することで、ＤＣ電圧を安定化することができる。
また、このように電力合成／分配装置２のＤＣ電圧が安定化するので、ＤＣ／ＤＣコンバータ４の出力電圧も安定化し、車両Ｖにおける蓄電装置Ｆにも安定化した直流電圧（ＤＣ電圧）が供給される。
【００５３】
なお、複数のマスターを選出する場合には、直流電圧制御が干渉しないように制御する必要がある。そのため、選出するマスターは１台の方が望ましいことがある。第１実施形態は、マスターが１台の場合の例である。
【００５４】
また、図４において、ＤＣ電力供給装置３とＤＣ／ＤＣコンバータ４はすべて「ＡＰＲ」で動作し、マスターは存在しない。ＤＣ／ＤＣコンバータ４の「ＡＰＲ」については前記したとおりである。
【００５５】
《自立運転時》
次に、自立運転時における制御パターン例（図５）について説明する。
開閉器ＳＷ３（図１）を遮断（オフ）すると需要家側には、電力系統Ｌの交流電力は供給されなくなる。この場合には、電力需給システムＺで生成する電力で、需要家負荷Ｄ、および車両Ｖの蓄電装置Ｆに電力を供給する。この場合が自立運転時である。
【００５６】
図５は、本発明の第１実施形態に係る電力需給システムＺの構成例と、自立運転時における制御パターン例を示す図である。なお、本来は電力需給設備Ｅ１〜Ｅｎを対象としているが、図５においては、便宜上、電力需給設備Ｅが２台の場合の例について図示している。
図５において、ＤＣ電力供給装置３、電力合成／分配装置２、ＤＣ／ＡＣコンバータ５とＤＣ／ＤＣコンバータ４の配置は、図４と同一であるので重複する説明は省略する。
ただし、図５は、自立運転時を示す図であり、系統からの電力供給が遮断されているので、図４に示した電力系統Ｌについての記載はない。
なお、図５において、符号（＃，Ｓ）は、後記するスレーブ（Ｓ）で動作、制御されることを意味する。
【００５７】
各電力需給設備Ｅ（Ｅ１〜Ｅｎ）において、マスターに選出された１台のＤＣ電力供給装置（３，Ｍ）は、直流電圧制御（ＤＣ−ＡＶＲ）で動作する。
各電力需給設備Ｅ（Ｅ１〜Ｅｎ）において、スレーブとなるＤＣ電力供給装置（３，Ｓ）は、有効電力制御（ＡＰＲ）で動作する。
各電力需給設備Ｅ（Ｅ１〜Ｅｎ）において、ＤＣ／ＤＣコンバータ４は、共に有効電力制御（ＡＰＲ）で動作する。なお、ＤＣ／ＤＣコンバータ４の有効電力制御（ＡＰＲ）については、前記したとおりである。
マスターに選出された電力需給設備（Ｅ１，Ｍ）においては、マスターに選出された１台のＤＣ／ＡＣコンバータ（５，Ｍ）は、定電圧定周波数制御（ＣＶＣＦ）で動作する。
スレーブとなる電力需給設備（Ｅ２，Ｓ）においては、スレーブとなるＤＣ／ＡＣコンバータ（５，Ｓ）は、有効電力制御（ＡＰＲ）で動作する。
【００５８】
マスターのＤＣ電力供給装置（３，Ｍ）とスレーブのＤＣ電力供給装置（３，Ｓ）によって直流電力が生成され、電力合成／分配装置２に直流電力が供給される。
ＤＣ／ＤＣコンバータ４は、電力合成／分配装置２から供給される直流電力の直流電圧を変換して、それぞれの蓄電装置Ｆに直流電力を供給する。
マスターのＤＣ／ＡＣコンバータ（５，Ｍ）とスレーブのＤＣ／ＡＣコンバータ（５，Ｓ）は、それぞれ電力合成／分配装置２から供給される直流電力を交流電力に変換して需要家負荷Ｄに供給する。
以上のＤＣ電力供給装置（３，Ｍ）、（３，Ｓ）、ＤＣ／ＤＣコンバータ４、ＤＣ／ＡＣコンバータ（５，Ｍ）、（５，Ｓ）が制御装置１の統括的な制御のもとに電力を生成、変換し、需要家負荷Ｄおよび蓄電装置Ｆに安定した電力を供給する。
【００５９】
《自立運転時の電力需給設備（ＤＣ電力供給装置）のマスター選出と詳細な動作》
自立運転で需要家側に電力を供給する場合には、制御装置１が電力需給設備Ｅ１〜Ｅｎの中から少なくとも１台以上のマスターを選出する。なお、実質的には、電力需給設備Ｅ（Ｅ１〜Ｅｎ）自身がマスターに選出されるのではなく、ＤＣ／ＡＣコンバータ（５，Ｍ）がマスターに選出されることを意味している。
この電力需給設備Ｅのマスターは、系統連系に対して選出されたマスターとは同一であってもよいし、別の電力需給設備Ｅであってもよい。他の電力需給設備Ｅはスレーブとなる。
制御装置１は、マスターに選出されたＤＣ電力供給装置（３，Ｍ）に出力電圧目標値を送信し、スレーブとなったＤＣ電力供給装置（３，Ｓ）に出力電力目標値（あるいは出力電流目標値）を送信する。
【００６０】
マスターに選出されたＤＣ電力供給装置（３，Ｍ）は、制御装置１から受信した出力電圧目標値に従って、電力合成／分配装置２のＤＣ電圧（ＤＣバス電圧）を直流電圧制御（ＤＣ−ＡＶＲ）によって安定化させる。
一方、スレーブに選出されたＤＣ電力供給装置（３，Ｓ）は、制御装置１から受信した出力電力（あるいは出力電流）目標値に従って、有効電力制御（ＡＰＲ）により電力系統側から電力合成／分配装置２に電力を供給する。
【００６１】
このように制御装置１が、複数の電力需給設備Ｅ１〜Ｅｎ（ＤＣ電力供給装置３）から少なくとも１つ以上のマスターを選出し、電力合成／分配装置２のＤＣ電圧（ＤＣバス電圧）を制御することで、ＤＣ電圧を安定化することができる。
なお、前記したように、選出するマスターは１台の方が望ましいことがある。そのため、図５においてもマスターを１台としている。
【００６２】
《自立運転時のＤＣ／ＡＣコンバータ５のマスター選出と詳細な動作》
また、自立運転においては、電力需給設備Ｅ１〜Ｅｎの中にあるＤＣ／ＡＣコンバータ５から少なくとも１つ以上をマスターとして、制御装置１が選出する。あるいは、電力供給設備Ｅ１〜Ｅｎから選出したマスター（Ｅ，Ｍ）から、ＤＣ／ＡＣコンバータ５のマスター（５，Ｍ）を選出してもよい。
この自立運転時のマスター（ＤＣ／ＡＣコンバータ５，Ｍ）は、系統連系時に選出されたマスター（ＤＣ／ＡＣコンバータ５，Ｍ）と同一であってもよいし、別の電力需給設備ＥにおけるＤＣ／ＡＣコンバータ５であってもよい。
また、この自立運転時のマスター（ＤＣ／ＡＣコンバータ５，Ｍ）は、電力合成／分配装置２のＤＣ電圧を直流電圧制御（ＤＣ−ＡＶＲ）を行うために選出された電力需給設備ＥにおけるＤＣ／ＡＣコンバータ５とは異なっていてもよい。
なお、この際、他のＤＣ／ＡＣコンバータ５は、スレーブ（５，Ｓ）となる。
【００６３】
自立運転時にマスターに選出されたＤＣ／ＡＣコンバータ（５，Ｍ）は、需要家負荷Ｄが接続されているＡＣ電圧を定電圧定周波数制御（ＣＶＣＦ）によって制御する。
制御装置１は、各スレーブに選出されたＤＣ／ＡＣコンバータ（５，Ｓ）に出力目標値を送信する。スレーブに選出されたＤＣ／ＡＣコンバータ（５，Ｓ）は、制御装置１から受信した出力目標値に従って、有効電力制御（ＡＰＲ）によって電力合成／分配装置２からの直流電力を交流電力に変換して、需要家負荷Ｄに電力を供給する。
このように複数の電力需給設備を有する制御装置１の中から少なくとも１つ以上のＤＣ／ＡＣコンバータ（５，Ｍ）のＡＣ電圧を定電圧定周波数制御（ＣＶＣＦ）によって制御することで、需要家側のＡＣ電圧および周波数を安定化することができる。
なお、前記したように、選出するマスターは１台の方が望ましいことがある。そのため、図５においてもマスターを１台としている。第１実施形態は、マスターが１台の場合の例である。
【００６４】
＜機器更新やマスターの変更＞
次に、機器更新やマスターの変更時における制御について説明する。
電力需給設備Ｅの追加や削除、あるいは電力合成／分配装置２に接続される、ＤＣ電力供給装置３、ＤＣ／ＤＣコンバータ４、ＤＣ／ＡＣコンバータ５の追加や削除に伴い、ＤＣ機器の起動または停止が発生することがある。
前記削除される電力供給設備Ｅがマスターの場合、つまり、電力合成／分配装置２の交流側（電力系統（Ｌ）側）のＡＣ電圧をＡＣ−ＡＶＲで安定化制御する場合、あるいは自立運転時の系統側ＡＣ電圧（ＡＣ機器接続部ＪＡのＡＣ電圧）を制御するマスターである場合には、他の電力供給設備Ｅから新たなマスターを選出する。
また前記停止するＤＣ機器が、電力合成／分配装置２のＤＣ電圧を制御するマスターの場合には、他のＤＣ機器から新たなマスターを選出する。
また前記追加に伴い、起動するＤＣ機器が発生する場合には、電力合成／分配装置２のＤＣ電圧を制御するマスター、あるいは自立運転時の系統側ＡＣ電圧（ＡＣ機器接続部ＪＡのＡＣ電圧）を制御するマスターを新規に選出し直してもよい。
【００６５】
このような状況としては、例えば電力需給設備Ｅのメンテナンス交換や異常発生や増設など種々の可能性がある。
追加あるいは削除に伴って制御変更が必要となる可能性のあるＤＣ機器としては、図１におけるＤＣ電力供給装置３、ＤＣ／ＤＣコンバータ４、ＤＣ／ＡＣコンバータ５が挙げられる。
またＤＣ電力供給装置３が、ＤＣ電力供給装置接続部Ｊ４１に接続されたＡＣ／ＤＣコンバータ（不図示）やＤＣ／ＤＣコンバータ（不図示）を内部に有する場合には、これらのコンバータも対象となる。
【００６６】
制御装置１において、新たにマスターが選出された場合、新マスターおよび旧マスター（あるいはマスターとなる機器を有する電力需給設備Ｅ）に対して、制御装置１から制御変更に必要な情報（マスター変更に付随する制御指令）が送信される。
この送信は、すべての電力需給設備Ｅ１〜Ｅｎに対して行われてもよい。この場合には、信号を受信するマスター側でＩＤ（identification）情報などの識別信号を用いて、自身に対する指令なのかを判断することができる。
【００６７】
この制御指令を受信したマスター（あるいはマスターとなる機器を有する電力需給設備Ｅ）は、制御装置１に制御指令を受け付けたことを返信する。この返信によって、制御装置１は、制御変更の指令が無事にマスターに受け入れられたことを確認することができる。
もし制御変更指令に対する返信が無い場合には、通信の不具合、あるいは制御指令を送ったマスターの不具合によって、制御変更の設定が正常に完了しなかったことを検知することができる。
これらの制御変更指令は、制御装置１から対象となる新旧マスターに直接、送受信すればよいが、仮に電力需給設備Ｅが内部に固有の制御装置を有する場合には、電力需給設備Ｅの内部の前記の制御装置（不図示）を一旦、介して、新旧マスターとなる対象機器に制御変更指令を伝達してもよい。
【００６８】
制御装置１の補助記憶装置１１３（図２）には、電力需給設備Ｅ１〜Ｅｎ、および電力合成／分配装置２に接続されるマスターの機器情報が登録されている。これらの情報は、電力合成／分配装置２に接続される電力需給設備Ｅが追加あるいは削減されるタイミングで更新するのが望ましい。また必要に応じてマスター／スレーブ選出の更新も、電力需給設備ＥやＤＣ機器の更新のタイミングに合わせて行われるのが好ましい。
【００６９】
なお、マスターが選出された情報は、制御装置１に備えられた補助記憶装置１１３の登録情報１３１に格納され、表示装置１１５から確認することができる（図２）。すなわち、制御装置１は、マスターが選出された情報を確認できるユーザインターフェイスを有している。
また、マスターの選出は、オペレータが制御装置１の入力装置１１４を用いて手動で設定可能である。すなわち、制御装置１は、オペレータがマスターの選出を手動で設定できるユーザインターフェイスを有している。
【００７０】
＜マスター／スレーブ選出方法＞
次にマスター／スレーブ選出方法について説明する。
【００７１】
《第１の選出方法》
電力需給設備Ｅ、電力需給設備Ｅ１〜ＥｎのＤＣ／ＡＣコンバータ５、あるいはＤＣ電力供給装置３のマスターの第１の選出方法としては、前記したように、オペレータが制御装置１の入力装置１１４を用いて、マスターを登録情報１３１に手動で設定する方法（第１の選出方法）がある。
【００７２】
《第２の選出方法》
マスターの第２の選出方法は、登録情報１３１に基づいて自動化する方法である。
例えば、疑似乱数を用いた方法でマスターを選出してもよいし、順番に割り当てるラウンドロビン方式によって巡回的にマスターを選出してもよい。
【００７３】
《第３の選出方法》
マスターの第３の選出方法は、マスターの対象となる機器の中で定格出力電力の最も大きな機器からマスターを選出する方法である。
このとき制御装置１は、補助記憶装置１１３に格納された登録情報１３１を用いて、定格出力の最も大きな機器からマスターを選出することができる。定格出力電力の大きな機器によって電圧安定化制御を行うことで、より大きな電圧変動の抑制にも対応することができる。
機器の追加や削除があった場合には、制御装置１の補助記憶装置１１３に登録された登録情報１３１が更新される。新たに定格出力電力の大きな機器を追加した場合には、本（第３の）選出方法により、より定格出力電力の大きな機器を電圧安定化制御に活用することができる。
【００７４】
《第４の選出方法》
マスターの第４の選出方法としては、事前に機器の追加や削除、メンテナンス交換などの計画がある場合に、これらの計画を考慮してマスターを選出する方法である。
図１、図２、図５に示す制御装置１は、スケジュール処理部１０２に、電力需給設備Ｅ、あるいは電力需給設備Ｅが有するＤＣ電力供給装置３、ＤＣ／ＤＣコンバータ４、ＤＣ／ＡＣコンバータ５のメンテナンス交換、あるいは新規追加などの機器更新に関するスケジュール情報を有する。
【００７５】
マスターの選出において、制御装置１のマスター選出処理部１０１は、機器更新に関するスケジュール情報に基づいてマスターを選出する。
スケジュール情報は、制御装置１のスケジュール処理部１０２によって扱われる。その結果は、補助記憶装置１１３の登録情報１３１に格納される。
マスター選出処理部１０１がスケジュール情報を利用する際には、登録情報１３１に格納された結果を利用してもよいし、スケジュール処理部の出力を直接受け取ってもよい。
【００７６】
《その他の選出方法》
マスターの選出方法は、以上の他にも、登録情報１３１に基づいて、様々な方法で自動化することができる。
【００７７】
《ＤＣ電力供給装置３の起動停止と台数制御》
契約電力や受電設備の制約から、電力系統Ｌから受電する電力量を制限するのが望ましい場合がある。本発明の電力需給システムＺは、電力需給設備Ｅ１〜Ｅｎから需要家負荷Ｄおよび蓄電装置Ｆへ電力を供給することができるので、以下の制御によって、電力系統Ｌからの受電量を所定の範囲に抑え、また各電力需給設備Ｅ（Ｅ１〜Ｅｎ）内のＤＣ／ＡＣインバータ５の定格電力を所定の範囲に抑えた構成を採用することができる。
また、ＤＣ電力供給装置３の電力供給能力は上限があるので、需要家負荷Ｄおよび車両Ｖの蓄電装置Ｆへ供給可能な電力量にも上限がある。そこでＤＣ電力供給装置３の起動停止による運転台数制御、および蓄電装置Ｆに電力供給を行う車両Ｖの台数制御を以下のように行うことができる。
【００７８】
新たな車両Ｖから電力供給の要求があった場合、起動中のＤＣ電力供給装置３があり、要求される電力を提供可能であれば供給する。全てのＤＣ電力供給装置３が停止中の場合や、起動中のＤＣ電力供給装置３が他の車両Ｖに電力供給中である場合には、新たな車両Ｖへの電力供給は一時停止する。
新たな車両Ｖへの電力供給の一時停止中に、停止中のＤＣ電力供給装置３がある場合には起動する。起動可能なＤＣ電力供給装置３が無い場合には、他の車両Ｖに電力供給中のＤＣ電力供給装置３が、新たな車両Ｖに電力供給可能となるまで、新たな車両Ｖへの電力供給は、引き続き一時停止する。
【００７９】
このように、ＤＣ電力供給装置３の起動停止による運転台数制御、および蓄電装置Ｆに電力供給を行う車両Ｖの台数制御を行うことによって、契約電力を抑えたり、受電設備やＤＣ／ＡＣインバータ５の電力容量を所定の範囲に抑えることで、導入コストや運転コストを抑えることができる。
また、電力系統Ｌから受電することができない自立運転時にも、ＤＣ電力供給装置３の電力供給能力の範囲内で、需要家負荷Ｄおよび蓄電装置Ｆへ電力供給を制御することができる。
【００８０】
＜第１実施形態の効果＞
本発明の第１実施形態の電力需給システムＺによれば、系統連系時、自立運転時において、電力需給設備Ｅ１〜Ｅｎ、ＤＣ／ＡＣコンバータ５、およびＤＣ電力供給装置３から、それぞれ１台のマスターを選出して、電力合成／分配装置２のＤＣ電圧、需要家負荷Ｄが接続されたＡＣ電圧を制御している。そのため、電力需給システムＺでは、安定して、柔軟な電力供給を実現することができる。
また、ＤＣ電力供給装置３を追加可能であるので、既存設備の電源容量を柔軟に拡張し、異なる電圧レベルに対応できる。電力系統Ｌの停電時にも電力供給が可能な電力需給システムＺを提供できる。
【００８１】
［第２実施形態：電力需給システム］
次に、第２実施形態（電力需給システム）として、電力需給設備Ｅ１〜Ｅｎの電力合成／分配装置２の一部が、ＤＣ／ＤＣコンバータ４で接続されている例を図６〜図８を参照して説明する。
【００８２】
図６は、本発明の第２実施形態に係る電力需給システムの第２の構成例を示す図であり、また電力需給システムと電力系統（商用電力系統）側および需要家側の各負荷との接続関連の一例を示す図である。
図７は、本発明の第２実施形態に係る電力需給システムＺの構成例と、系統連系時における制御パターン例を示す図である。
図８は、本発明の第２実施形態に係る電力需給システムＺの構成例と、自立運転時における制御パターン例を示す図である。
【００８３】
＜電力需給システムＺの構成＞
図６において、電力需給システムＺでは、一部の電力需給設備Ｅ（Ｅ１）のみにＤＣ電力供給装置３が配置される一方、残りの電力需給設備Ｅ（Ｅ２）にはＤＣ電力供給装置３が配置されていない。従って、電力需給システムＺは、ＤＣ電力供給装置３が配置されていない電力需給設備Ｅ２の電力合成／分配装置２と、ＤＣ電力供給装置３が配置されている電力需給設備Ｅ１の電力合成／分配装置２とを接続するため、ＤＣ／ＤＣコンバータ６（第２ＤＣ／ＤＣコンバータ）をさらに備える。
その他の要素については、図６と図１は同じであるので、図６において重複する説明は省略する。
【００８４】
《系統連系時》
前記したように、図７は、本発明の第２実施形態に係る電力需給システムＺの構成例と、系統連系時における第２の制御パターン例を示す図である。なお、本来はｎ台の電力需給設備Ｅ１〜Ｅｎを対象としているが、図７においては、便宜上、電力需給設備Ｅが２台の場合の例について図示している。
図７において、電力需給設備Ｅ１には、ＤＣ電力供給装置３が１台配置され、電力合成／分配装置２と接続されている。一方、電力需給設備Ｅ２には、ＤＣ電力供給装置３が配置されていない。
また、各電力需給設備Ｅ（Ｅ１〜Ｅｎ）には、電力合成／分配装置２が配置されている。
また、各電力需給設備Ｅ（Ｅ１〜Ｅｎ）には、１台のＤＣ／ＡＣコンバータ５と１台のＤＣ／ＤＣコンバータ４（第１ＤＣ／ＤＣコンバータ）が配置され、それぞれ電力合成／分配装置２に接続されている。
また、各電力需給設備Ｅ（Ｅ１〜Ｅｎ）に備えられたＤＣ／ＡＣコンバータ５は、需要家負荷Ｄと電力系統Ｌに接続されている。また、ＤＣ／ＤＣコンバータ４は、それぞれ車両Ｖの蓄電装置Ｆに接続されている。
ＤＣ／ＤＣコンバータ６は、ＤＣ電力供給装置３が接続されている電力合成／分配装置２と、ＤＣ電力供給装置３が接続されていない電力合成／分配装置２との間を接続する。
なお、制御装置１は、図６にも示すように、ＤＣ電力供給装置３、電力合成／分配装置２、ＤＣ／ＡＣコンバータ５、ＤＣ／ＤＣコンバータ４，６をそれぞれ制御している。
【００８５】
図７において、電力供給設備Ｅ２のＤＣ／ＡＣコンバータ５は、有効電力制御（ＡＰＲ）で動作する。このようにすることで電力系統Ｌからの電力需給量を調節することができる。また、ＤＣ／ＤＣコンバータ６は、電力需給設備Ｅ２側の電力合成／分配装置２の直流電圧を安定化させるように、直流電圧制御（ＤＣ−ＡＶＲ）で動作する。このようにして、ＤＣ電力供給装置３が配置されていない電力需給設備Ｅ２においても、ＤＣ／ＤＣコンバータ６を介して電力需給設備Ｅ１から電力を授受し、車両Ｖにおける蓄電装置Ｆにも直流電圧（ＤＣ電圧）が安定して供給できる。
【００８６】
図７において、系統連系時における電力需給設備Ｅ１の動作は、台数の相違はあるが、図４と同様であるので、図７において重複する説明は省略する。
【００８７】
《自立運転時》
図８は、本発明の第２実施形態に係る電力需給システムＺの構成例と、自立運転時における制御パターン例を示す図である。なお、本来はｎ台の電力需給設備Ｅ１〜Ｅｎを対象としているが、図８においては、便宜上、電力需給設備Ｅが２台の場合の例について図示している。
【００８８】
図８において、電力需給設備Ｅ，ＤＣ電力供給装置３、電力合成／分配装置２、ＤＣ／ＡＣコンバータ５とＤＣ／ＤＣコンバータ４の配置は、図７と同一であるので重複する説明は省略する。
ただし、図８は、自立運転時を示す図であり、系統からの電力供給が遮断されているので、図７に示した電力系統Ｌについての記載はない。
【００８９】
図８において、自立運転時における電力需給設備Ｅ２の制御パターンは、図７における系統連系時の制御パターンと同様である。
【００９０】
また、図８において、自立運転時における電力需給設備Ｅ１内の機器の動作は、台数の相違はあるが、図５と同様であるので、図８において重複する説明は省略する。
【００９１】
＜第２実施形態の効果＞
本発明の第２実施形態の電力需給システムＺによれば、ＤＣ電力供給装置３が接続されていない電力合成／分配装置２と、ＤＣ電力供給装置３が接続されている電力需給設備Ｅの電力合成／分配装置２とを、ＤＣ／ＤＣコンバータ６を介して接続する。これにより、電力需給システムＺでは、ＤＣ電力供給装置３が配置されていない電力需給設備Ｅ２も電力の授受が可能であり、車両Ｖにおける蓄電装置Ｆに直流電圧（ＤＣ電圧）を安定して供給できる。
従って、既存設備の電源容量をより柔軟に拡張できる。また電力系統Ｌの停電時にも電力供給が可能な電力需給システムＺを提供できる。
【００９２】
［その他の実施形態や変形例］
なお、本発明は、以上に説明した実施形態に限定されるものでなく、さらに様々な変形例が含まれる。例えば、前記の実施形態は、本発明を分かりやすく説明するために、詳細に説明したものであり、必ずしも説明したすべての構成を備えるものに限定されるものではない。また、ある実施形態の構成の一部を他の実施形態の構成の一部で置き換えることが可能であり、さらに、ある実施形態の構成に他の実施形態の構成の一部または全部を追加・削除・置換をすることも可能である。
以下に、その他の実施形態や変形例について、さらに説明する。
【００９３】
《スレーブの選出、制御》
第１実施形態においては、系統連系時（図４）にスレーブのＤＣ／ＡＣコンバータ（５，Ｓ）が無い例を説明した。しかし、２台以上のＤＣ／ＡＣコンバータ５が運転する場合には、マスター（５，Ｍ）以外のＤＣ／ＡＣコンバータは、スレーブ（５，Ｓ）として選出される。
図９は、本発明の変形例に係る電力需給システムＺの構成例と、系統連系時における制御パターン例を示す図である。なお、スレーブは、符号Ｓを付記したＤＣ／ＡＣコンバータ５（５，Ｓ）と表記する。
【００９４】
図９において、各電力需給設備Ｅ（Ｅ１〜Ｅｎ）には、２台のＤＣ／ＡＣコンバータ５が配置され、電力合成／分配装置２にそれぞれ接続されている。
制御装置１は、２台以上のＤＣ／ＡＣコンバータ５がある場合には、少なくとも１台をマスターとして選出し、残りをスレーブとする。例えば、制御装置１は、各電力需給設備Ｅ（Ｅ１〜Ｅｎ）において、マスターのＤＣ／ＡＣコンバータ（５，Ｍ）と、スレーブのＤＣ／ＡＣコンバータ（５，Ｓ）とを１台ずつ選出する。
【００９５】
各電力需給設備Ｅ（Ｅ１〜Ｅｎ）において、スレーブとなったＤＣ／ＡＣコンバータ（５，Ｓ）は、制御装置１の指令に基づいて、直流側の電力が安定するように有効電力制御（ＡＰＲ）で動作する。すなわち、スレーブに選出されたＤＣ／ＡＣコンバータ（５，Ｓ）は、制御装置１から受信した出力電力（あるいは出力電流）目標値に従って、有効電力制御（ＡＰＲ）により交流電力を直流電力に変換して、電力系統（Ｌ）側から電力合成／分配装置２に電力を供給する。このように、制御装置１は、電気エネルギを反映する有効電力の安定化に的を絞った制御をする。
他の点、図４と同一であるので重複する説明は省略する。
【００９６】
また、ＤＣ／ＡＣコンバータ５が３台以上ある場合、スレーブのＤＣ／ＡＣコンバータ（５，Ｓ）を複数選出してもよい。
【００９７】
《系統連系時におけるリーダーの選出、制御》
第１実施形態においては、系統連系時（図４）、電力需給システムＺの全体でマスターのＤＣ／ＡＣコンバータ（５，Ｍ）が２台選出されている。この場合、制御装置１は、マスターとして選出されたＤＣ／ＡＣコンバータ（５，Ｍ）の中から、さらにリーダー（５，Ｒ）を１台選出してもよい。
なお、符号（＃，Ｒ）は、後記するリーダー（Ｒ）で動作、制御されることを意味する。
【００９８】
図１０は、本発明の変形例に係る電力需給システムＺにおいて、系統連系時にリーダーを選出、制御する動作例を示すフローチャートである。
図１０において、制御装置１は、マスターのＤＣ／ＡＣコンバータ（５，Ｍ）を２台選出する（ステップＳ１）。
制御装置１は、マスターとして選出されたＤＣ／ＡＣコンバータ（５，Ｍ）の中から、さらにリーダーのＤＣ／ＡＣコンバータ（５，Ｒ）を１台選出する。図４においては、制御装置１は、電力需給設備Ｅ１のＤＣ／ＡＣコンバータ５をリーダー（５，Ｒ）に選出する（ステップＳ２）。
【００９９】
なお、リーダーのＤＣ／ＡＣコンバータ（５，Ｒ）は、任意の手法で選出できる。例えば、オペレータが制御装置１の入力装置１１４を用いて、リーダーを登録情報１３１に手動で設定してもよい。この他、疑似乱数を用いた方法でリーダーを選出してもよいし、順番に割り当てるラウンドロビン方式によって巡回的にリーダーを選出してもよい。
【０１００】
制御装置１は、マスターのＤＣ／ＡＣコンバータ（５，Ｍ）について、直流側を直流電圧制御（ＤＣ−ＡＶＲ）で制御し、交流側を交流電圧制御（ＡＣ−ＡＶＲ）で制御する（ステップＳ３）。
制御装置１は、リーダーのＤＣ／ＡＣコンバータ（５，Ｒ）が配置されている電力需給設備Ｅ１のＡＣ機器接続部ＪＡ（図１）を交流電圧制御（ＡＣ−ＡＶＲ）する（ステップＳ４）。
なお、第１実施形態において、系統連系時にリーダーを選出する例で説明したが、第２実施形態も同様である。
【０１０１】
《自立運転時におけるリーダーの選出、制御》
第１実施形態においては、自立運転時（図５）、電力需給システムＺの全体でマスターのＤＣ電力供給装置（３，Ｍ）が２台選出されている。この場合、制御装置１は、マスターとして選出されたＤＣ電力供給装置（３，Ｍ）の中から、さらにリーダー（３，Ｒ）を１台選出してもよい。
【０１０２】
図１１は、本発明の変形例に係る電力需給システムＺにおいて、自立運転時にリーダーを選出、制御する動作例を示すフローチャートである。
図１１において、制御装置１は、マスターのＤＣ電力供給装置（３，Ｍ）を２台選出する（ステップＳ１０）。
制御装置１は、マスターとして選出されたＤＣ電力供給装置（３，Ｍ）の中から、さらにリーダーのＤＣ電力供給装置（３，Ｒ）を１台選出する。図５においては、制御装置１は、電力需給設備Ｅ１のＤＣ電力供給装置３をリーダー（３，Ｒ）に選出する（ステップＳ１１）。
なお、リーダーのＤＣ電力供給装置（３，Ｒ）の選出方法は、系統連系時にリーダーのＤＣ／ＡＣコンバータ（５，Ｒ）を選出する方法と同様のため、説明を省略する。
【０１０３】
制御装置１は、マスターのＤＣ電力供給装置（３，Ｍ）について、直流電圧制御（ＤＣ−ＡＶＲ）で制御する（ステップＳ１２）。
制御装置１は、リーダーのＤＣ電力供給装置（３，Ｒ）が配置されている電力需給設備Ｅ１のＡＣ機器接続部ＪＡ（図１）を定電圧定周波数制御（ＣＶＣＦ）で制御する（ステップＳ１３）。
なお、第１実施形態において、自立運転時にリーダーを選出する例で説明したが、第２実施形態も同様である。
【０１０４】
《電力需給設備Ｅの他の例》
第１実施形態においては、電力需給設備Ｅ１〜Ｅｎに備えられた複数のＤＣ電力供給装置３は、同じ電圧で出力する場合について説明した。しかし、複数のＤＣ電力供給装置３が出力する電圧が同じである場合に限定されない。
複数のＤＣ電力供給装置３が出力する電圧が異なっていても、本発明の電力需給システムＺは成立する。
複数のＤＣ電力供給装置３が、異なる電圧を出力する場合には、それぞれのＤＣ電力供給装置３と、電力合成／分配装置２との間にＤＣ／ＤＣコンバータを設ける。そして、これらのＤＣ／ＤＣコンバータでそれぞれ変圧して、電力合成／分配装置２に入力する電圧を統一する。
【０１０５】
また、電力需給設備Ｅ１〜Ｅｎに備えられた複数のＤＣ電力供給装置３、ＤＣ／ＤＣコンバータ４、ＤＣ／ＡＣコンバータ５は取り外し可能である。
ＤＣ電力供給装置３、ＤＣ／ＤＣコンバータ４、ＤＣ／ＡＣコンバータ５を取り外した構成においても、本発明の電力需給システムＺとして成立する。
【０１０６】
《ＤＣ電力供給装置３の構成》
第１実施形態においては、電力需給設備Ｅ１〜Ｅｎに備えられた複数のＤＣ電力供給装置３が、ＡＣ／ＤＣコンバータ（不図示）を備えた内燃機関発電装置である場合を例として説明した。しかし、ＤＣ電力供給装置３は、内燃機関発電装置に限定されない。
内燃機関発電装置（＋ＡＣ／ＤＣコンバータ）の代わりに、（燃料電池＋ＤＣ／ＤＣコンバータ）、（ＡＣ発電装置＋ＡＣ／ＤＣコンバータ）等を使用してもよい。
なお、ＤＣ電力供給装置３がＡＣ／ＤＣコンバータを備えた内燃機関発電装置である場合に、制御装置１は、内燃機関発電装置の起動および停止制御を行うとともに、ＡＣ／ＤＣコンバータの電力変換に関する制御を行う。
【０１０７】
ＤＣ電力供給装置３が、（燃料電池＋ＤＣ／ＤＣコンバータ）、（ＡＣ発電装置＋ＡＣ／ＤＣコンバータ）等である場合において、マスターとなるＤＣ電力供給装置３のＤＣ／ＤＣコンバータ、あるいはＡＣ／ＤＣコンバータが、系統連系時には有効電力制御（ＡＰＲ）で電力合成／分配装置２のＤＣ電圧を制御する。
また、マスターとなるＤＣ電力供給装置３が備えるＤＣ／ＤＣコンバータ、あるいはＡＣ／ＤＣコンバータが、自立運転時には、直流電圧制御（ＤＣ−ＡＶＲ）で電力合成／分配装置２のＤＣ電圧を制御する。
【０１０８】
また、ＤＣ電力供給装置３が、（太陽電池＋ＤＣ／ＤＣコンバータ）、（風力発電装置＋ＡＣ／ＤＣコンバータ）のように、再生可能エネルギ源（自然エネルギ源）を用いる場合には、電力需給システムＺから電力系統（Ｌ）側へ電力供給する場合もある。
【０１０９】
《マスターの台数》
本発明の第１実施形態においては、ＤＣ／ＡＣコンバータ５とＤＣ電力供給装置３のマスターは、それぞれ１台であり、第２実施形態においては、ＤＣ／ＡＣコンバータ５とＤＣ電力供給装置３のマスターは、それぞれ２台である場合について記載した。
しかし、マスターの台数は１台または２台に限定されない。３台以上であってもよい。マスターの台数を増やして電圧安定化制御を行うことで、より大きな電圧変動の抑制に対応することができる。
【０１１０】
《マスター選出方法の他の例》
なお、以上の実施例では、交流側（電力系統（Ｌ）側）のＡＣ電圧を安定化させるＤＣ／ＡＣコンバータ５を、マスターとなる電力需給設備（Ｅ，Ｍ）に属する、マスターとなるＤＣ／ＡＣコンバータ（５，Ｍ）として選出したが、あるいは、電力需給設備Ｅ１〜Ｅｎから明示的にマスターを選出せずに、全てのＤＣ／ＡＣコンバータ５の中から、マスターとなるＤＣ／ＡＣコンバータ（５，Ｍ）を選出してもよい。
【符号の説明】
【０１１１】
１    制御装置
２    電力合成／分配装置
３    ＤＣ電力供給装置
４    ＤＣ／ＤＣコンバータ（第１ＤＣ／ＤＣコンバータ）
５    ＤＣ／ＡＣコンバータ
６    ＤＣ／ＤＣコンバータ（第２ＤＣ／ＤＣコンバータ）
１００    処理部
１０１    マスター選出処理部
１０２    スケジュール処理部
１１１    主記憶装置（記憶装置）
１１２    ＣＰＵ
１１３    補助記憶装置（記憶装置）
１１４    入力装置
１１５    表示装置
１１６    通信装置
１３１    登録情報
Ｄ    需要家負荷（ＡＣ機器、機器）
Ｅ，Ｅ１〜Ｅｎ    電力需給設備
Ｆ    蓄電装置（ＤＣ機器、機器）
Ｊ１１，Ｊ１２    ＤＣ／ＡＣコンバータ接続部（コネクタ）
Ｊ２１，Ｊ２２    ＤＣ／ＤＣコンバータ接続部（コネクタ）
Ｊ３１    ＡＣ接続部（コネクタ）
Ｊ４１    ＤＣ電力供給装置接続部
ＪＡ    ＡＣ機器接続部（開閉器）
ＪＤ    ＤＣ機器接続部（開閉器）
Ｌ    電力系統
ＳＷ１，ＳＷ２，ＳＷ３    開閉器
Ｖ    車両（ＤＣ機器）
Ｚ    電力需給システム
【図１】
2020068544.tif 000003
【図２】
2020068544.tif 000004
【図３】
2020068544.tif 000005
【図４】
2020068544.tif 000006
【図５】
2020068544.tif 000007
【図６】
2020068544.tif 000008
【図７】
2020068544.tif 000009
【図８】
2020068544.tif 000010
【図９】
2020068544.tif 000011
【図１０】
2020068544.tif 000012
【図１１】
2020068544.tif 000013
【手続補正書】
【提出日】令和2年1月17日(2020.1.17)
【手続補正１】
【補正対象書類名】特許請求の範囲
【補正対象項目名】全文
【補正方法】変更
【補正の内容】
【特許請求の範囲】
【請求項１】
ＤＣ電力の供給を行う少なくとも１つ以上のＤＣ電力供給装置と、
電力合成／分配装置に接続される少なくとも１つ以上のＤＣ／ＡＣコンバータと、
前記電力合成／分配装置に接続される少なくとも１つ以上のＤＣ／ＤＣコンバータと、
一方が前記ＤＣ／ＡＣコンバータに接続され、他方がＡＣ電力を需給するＡＣ機器が接続されるＡＣ機器接続部と、
一方が前記ＤＣ／ＤＣコンバータに接続され、他方がＤＣ電力を需給するＤＣ機器が接続されるＤＣ機器接続部と、を有する複数の電力需給設備と、
前記電力需給設備内に配置され、前記ＤＣ電力供給装置から供給されるＤＣ電力の合成と分配を行う少なくとも１つ以上の前記電力合成／分配装置と、
前記電力合成／分配装置、前記ＤＣ／ＡＣコンバータおよび前記ＤＣ／ＤＣコンバータを制御することで、ＤＣ電力の合成と、それぞれの前記ＡＣ機器接続部および前記ＤＣ機器接続部への電力の供給および分配を行う制御装置と、を備え、
電力系統と電力をやりとりする系統連系時には、前記制御装置が、前記電力合成／分配装置ごとに、前記ＤＣ／ＡＣコンバータからマスターを少なくとも１台選出し、前記マスターのＤＣ／ＡＣコンバータを直流電圧制御し、残りの前記ＤＣ／ＡＣコンバータおよび前記ＤＣ／ＤＣコンバータを有効電力制御し、
前記制御装置は、前記系統連系時にマスターとして選出されたＤＣ／ＡＣコンバータの中から、さらにリーダーを選出し、前記リーダーとして選出したＤＣ／ＡＣコンバータが配置されている前記電力需給設備の前記ＡＣ機器接続部の交流電圧制御を行う、
ことを特徴とする電力需給システム。
【請求項２】
請求項１において、
電力系統と電力をやりとりしない自立運転時には、
前記制御装置が、前記ＤＣ電力供給装置からマスターを選出して、直流電圧制御によって前記電力合成／分配装置のＤＣバスのＤＣ電圧を安定化させ、残りの前記ＤＣ電力供給装置を有効電力制御する、
ことを特徴とする電力需給システム。
【請求項３】
請求項２において、
前記制御装置は、前記自立運転時にマスターとして選出されたＤＣ電力供給装置の中から、さらにリーダーを選出して、定電圧定周波数制御によって前記ＡＣ機器接続部の交流電圧を制御する、
ことを特徴とする電力需給システム。
【請求項４】
請求項１において、
前記制御装置は、
前記電力合成／分配装置に接続される電力需給設備の追加、削除または前記電力需給設備が有するＤＣ電力供給装置、ＤＣ／ＤＣコンバータ、ＤＣ／ＡＣコンバータの追加、削除に伴い、前記ＤＣ機器が停止する際に、
前記電力需給設備が、前記電力合成／分配装置のＤＣ電圧を制御するマスターの場合、または自立運転時の前記ＡＣ機器接続部の電圧を制御するマスターの場合には、他の前記電力需給設備から新たなマスターを選出する処理をする、
ことを特徴とする電力需給システム。
【請求項５】
請求項１において、
前記ＤＣ電力供給装置は、ＡＣ／ＤＣコンバータを備えた内燃機関発電装置であって、前記ＡＣ／ＤＣコンバータを介して前記電力合成／分配装置と接続され、
前記制御装置は、前記内燃機関発電装置の起動および停止制御と、前記ＡＣ／ＤＣコンバータの電力変換に関する制御を行う、
ことを特徴とする電力需給システム。
【請求項６】
請求項５において、
前記制御装置は、
前記ＤＣ機器から電力供給の要求があった場合、起動中の前記ＤＣ電力供給装置があって要求される電力を提供可能であれば供給し、起動中の前記ＤＣ電力供給装置が無い場合、または起動中の前記ＤＣ電力供給装置が他の前記ＤＣ機器に電力供給中である場合には、新たな前記ＤＣ機器への電力供給を一時停止する、
ことを特徴とする電力需給システム。
【請求項７】
請求項６において、
前記制御装置は、
前記ＤＣ機器への電力供給の一時停止中に、
停止中の前記ＤＣ電力供給装置がある場合には起動し、起動可能な前記ＤＣ電力供給装置が無い場合には、他の前記ＤＣ機器へ電力供給中の前記ＤＣ電力供給装置が、前記ＤＣ機器に電力供給可能となるまで、前記ＤＣ機器への電力供給は引き続き一時停止する、
ことを特徴とする電力需給システム。
【請求項８】
請求項１から請求項７の何れか一項に記載のマスター電力需給設備に接続されるスレーブ電力供給設備と制御装置と第２ＤＣ／ＤＣコンバータを備える電力需給システムであって、
前記マスター電力供給設備内の電力合成／分配装置と、前記スレーブ電力供給設備内の電力合成／分配装置は、前記第２ＤＣ／ＤＣコンバータを介して接続され、
前記マスター電力供給設備および前記スレーブ電力供給設備は、それぞれ、
前記電力供給設備の電力合成／分配装置に接続される少なくとも１つ以上のＤＣ／ＡＣコンバータと、
一方が前記ＤＣ／ＡＣコンバータに接続され、他方がＡＣ電力を需給するＡＣ機器が接続されるＡＣ機器接続部と、
一方が第１ＤＣ／ＤＣコンバータに接続され、他方がＤＣ電力を需給するＤＣ機器が接続されるＤＣ機器接続部と、を有し、
前記マスター電力供給設備内に配置される前記電力合成／分配装置は、前記ＤＣ電力供給装置から供給されるＤＣ電力の合成と分配を行い、前記スレーブ電力供給設備内に配置される前記電力合成／分配装置は、前記マスター電力供給設備から供給されるＤＣ電力の合成と分配を行い、
前記制御装置は、前記第２ＤＣ／ＤＣコンバータを制御して、前記マスター電力供給設備から前記スレーブ電力供給設備に供給するＤＣ電力を決定し、
前記マスター電力供給設備および前記スレーブ電力供給設備は、それぞれ、
前記電力合成／分配装置、前記ＤＣ／ＡＣコンバータおよび第１ＤＣ／ＤＣコンバータを制御することで、前記マスター電力供給設備および前記スレーブ電力供給設備のＤＣ電力の合成と、それぞれの前記ＡＣ機器接続部および前記ＤＣ機器接続部への電力の供給および分配を行う制御装置を備える、
ことを特徴とする電力需給システム。
【請求項９】
請求項８において、
前記第２ＤＣ／ＤＣコンバータは、
直流電圧制御によって、前記ＤＣ電力供給装置が接続されていない電力合成／分配装置のＤＣバスのＤＣ電圧を安定化させる、
ことを特徴とする電力需給システム。
【請求項１０】
請求項９において、
電力系統と電力をやりとりする系統連系時には、
前記制御装置が、ＤＣ電力供給装置が接続された前記電力合成／分配装置ごとに、前記ＤＣ／ＡＣコンバータからマスターを少なくとも１台選出し、前記マスターのＤＣ／ＡＣコンバータを直流電圧制御することによって前記電力合成／分配装置のＤＣバスのＤＣ電圧を安定化させる、
ことを特徴とする電力需給システム。
【請求項１１】
請求項１０において、
前記制御装置は、前記系統連系時にマスターとして選出されたＤＣ／ＡＣコンバータの中から、さらにリーダーを選出し、前記ＡＣ機器接続部の交流電圧制御を行う、
ことを特徴とする電力需給システム。
【請求項１２】
請求項９において、
電力系統と電力をやりとりしない自立運転時には、
前記制御装置が、前記ＤＣ電力供給装置からマスターを選出して、直流電圧制御によって前記電力合成／分配装置のＤＣバスのＤＣ電圧を安定化させ、残りの前記ＤＣ電力供給装置を有効電力制御する、
ことを特徴とする電力需給システム。
【請求項１３】
請求項１２において、
前記制御装置は、前記自立運転時にマスターとして選出されたＤＣ電力供給装置の中から、さらにリーダーを選出して、定電圧定周波数制御によって前記ＡＣ機器接続部の交流電圧を制御する、
ことを特徴とする電力需給システム。 
【手続補正２】
【補正対象書類名】明細書
【補正対象項目名】０００８
【補正方法】変更
【補正の内容】
【０００８】
前記課題を解決するために、本発明を以下のように構成した。
すなわち、本発明の電力需給システムは、ＤＣ電力の供給を行う少なくとも１つ以上のＤＣ電力供給装置と、電力合成／分配装置に接続される少なくとも１つ以上のＤＣ／ＡＣコンバータと、前記電力合成／分配装置に接続される少なくとも１つ以上のＤＣ／ＤＣコンバータと、一方が前記ＤＣ／ＡＣコンバータに接続され、他方がＡＣ電力を需給するＡＣ機器が接続されるＡＣ機器接続部と、一方が前記ＤＣ／ＤＣコンバータに接続され、他方がＤＣ電力を需給するＤＣ機器が接続されるＤＣ機器接続部と、を有する複数の電力需給設備と、前記電力需給設備内に配置され、前記ＤＣ電力供給装置から供給されるＤＣ電力の合成と分配を行う少なくとも１つ以上の前記電力合成／分配装置と、前記電力合成／分配装置、前記ＤＣ／ＡＣコンバータおよび前記ＤＣ／ＤＣコンバータを制御することで、ＤＣ電力の合成と、それぞれの前記ＡＣ機器接続部および前記ＤＣ機器接続部への電力の供給および分配を行う制御装置と、を備え、電力系統と電力をやりとりする系統連系時には、前記制御装置が、前記電力合成／分配装置ごとに、前記ＤＣ／ＡＣコンバータからマスターを少なくとも１台選出し、前記マスターのＤＣ／ＡＣコンバータを直流電圧制御し、残りの前記ＤＣ／ＡＣコンバータおよび前記ＤＣ／ＤＣコンバータを有効電力制御し、前記制御装置は、前記系統連系時にマスターとして選出されたＤＣ／ＡＣコンバータの中から、さらにリーダーを選出し、前記リーダーとして選出したＤＣ／ＡＣコンバータが配置されている前記電力需給設備の前記ＡＣ機器接続部の交流電圧制御を行うことを特徴とする。